Podtech/llm-jp-corpus-v4-ja_patent huggingface dataset:
(57)【要約】      （修正有）【課題】屋根用波板を取り付ける際、屋根の上に登ることなく屋根裏で作業が完成することができる波板固定具を提供する。【解決手段】屋根用波板３の波板固定ボルト１を、波板３の穴にクッション２の穴を介して上面から挿入して、緩み防止ナット５、フック６、締めつけナット７を波板固定ボルト１に取り付け波板受け材４にフック６を引掛け、締めつけナット７を締めつけることでフック６と波板固定ボルト１が締まって波板３を固定し、最後に緩み防止ナット５を締めつけることで、波板３の取り付け作業を屋根裏で完了することが出来る。【選択図】図１
0003219848.tif 000002
【実用新案登録請求の範囲】
【請求項１】
波板固定ボルトの頭頂部を、波板の凸部の曲面に合わせて曲げた波板固定ボルトをクッションの穴を介して、波板の穴の上面から波板固定ボルトを挿入して，波板固定ボルトに緩み防止ナットを取り付け、フックの穴に波板固定ボルトを挿入して、締めつけナットを取り付け、波板受け材にフックを引掛け、締めつけナットで、フックと波板固定ボルトを締めつけて波板を固定することを特徴とする波板固定具。
【考案の詳細な説明】
【技術分野】
【０００１】本考案は屋根用波板を固定する取り付け具に関するものである。
【背景技術】
【０００２】  屋根用波板固定具を取り付ける場合、波板の穴に下から波板固定用フックを入れて受け材に引掛け、波板の上でクッション、座金、ナット、を取り付け、屋根の上でナットの締めつけ作業を行っている。
【考案が解決しようとする課題】
【０００３】  従来，屋根用波板を取り付ける作業では、脚立や足場の上から屋根の上に身体を出したり、登ったりして、屋根の上で、波板固定具の取り付け、ナットの締め付け作業を行っている。屋根の上での作業は雨の日は滑り易く、落下の危険があるため、これらのことを解消できる、波板固定具の提供が切望されている。
【課題を解決するための手段】
【０００４】  本考案は、波板固定ボルトの頭頂部を、波板の凸部の曲面に合わせて曲げた波板固定ボルトを波板の取り付け穴に、クッションを介して波板の上面から挿入し、波板固定ボルトに緩み防止ナットを取り付け、波板固定ボルトをフックの穴に挿入し，波板固定ボルトに締めつけナットを取り付け、波板と一体として、波板受け材に乗せ、フックを波板受け材に引掛け、締めつけナットを締めつけることで、フックと波板固定ボルトが締めつけられて波板を固定し、最後に緩み防止ナットを締めつけることで、屋根の上に登ることなく屋根裏で作業が完成し、問題点の解決となる。
【考案の効果】
【０００５】  波板受け材に乗せる前に、波板に取り付け位置の寸法を出し穴を開け、その穴に上面から波板固定ボルトの頭頂部を波板の凸部の曲面に合わせて曲げた波板固定ボルトをクッションを介して挿入し、波板固定ボルトに緩み防止ナットを取り付け、波板固定ボルトをフックの穴に挿入し、締めつけナットを取り付け、波板と一体として、波板受け材に乗せ、フックを波板受け材に引掛け、締めつけナットを締めつけることでフックと波板固定ボルトを締めつけ、波板を固定し、又、波板の振動で締めつけナットが緩むのを防ぐために緩み防止ナットを締めつけることで、屋根の上に登ることなく屋根裏で波板取り付け作業を完成することが可能となり、雨の日は濡れることなく作業出来、又、ネジ部が屋根の上に突出しないため外からの見た目もスッキリして波板固定具の目的が果たされる。
【図面の簡単な説明】
【０００６】
【図１】波板固定具の実施例の正面図である。
【図２】
0003219848.tif 000003
【図３】波板固定具の波板固定用ボルトとクッションの正面図である。
【図４】波板固定具の波板受け材に引掛けるフックとナットの正面図である。
【考案を実施するための形態】
【０００７】  波板受け材に乗せる前に、波板に取り付け位置の寸法を出し穴を開け、その波板の穴へ上面から波板固定ボルトをクッションを介して挿入し、波板固定ボルトに、緩み防止ナットを取り付け、波板固定ボルトをフックの穴に挿入し、波板固定ボルトに締めつけナットを取り付け波板固定具と一体となった波板を波板受け材に乗せ、フックを波板受け材に引掛け、締め付けナットを締めけることで波板固定ボルトを通して波板が固定され、最後に緩み防止ナットを締めつける。
【実施例】
【０００８】  図１から図４を参照して実施例について説明すると、１は波板固定ボルトで、頭頂部の凸部の曲面に合わせて曲げた波板固定ボルトを、２の、波板３の保護と雨漏れ防止のクッションの穴と、３の波板の穴の上面から波板固定ボルト１を挿入し、挿入した波板固定ボルト１に、５の緩み防止ナットを取り付け、６のフックの穴に波板固定ボルト１を挿入し、その波板固定ボルト１に締めつけナットを取り付け、４の波板受け材にフック６を引掛け、７の締めつけナットを締めつけることで波板固定ボルト１とフック６が締まり、波板を固定した後で、７の緩み防止ナットを締めつける。
【符号の説明】
【０００９】１        波板固定ボルト
２        クッション
３        波板
４        波板受け材
５        緩み防止ナット
６        フック
７        締めつけナット
【図１】
0003219848.tif 000004
【図２】
0003219848.tif 000005
【図３】
0003219848.tif 000006
【図４】
0003219848.tif 000007
【手続補正書】
【提出日】平成30年11月12日(2018.11.12)
【手続補正１】
【補正対象書類名】実用新案登録請求の範囲
【補正対象項目名】全文
【補正方法】変更
【補正の内容】
【実用新案登録請求の範囲】
【請求項１】
頭頂部を波板の凸部の曲面に合わせて曲げた波板固定ボルト、波板固定ボルトを挿入する穴を有したクッション、波板固定ボルトを挿入する穴を有したフック、緩み防止ナット、締め付けナット、を用いて、波板受け材に波板を固定するために、頭頂部を波板の凸部の曲面に合わせて曲げた、波板固定ボルトをクッションの穴を介して波板の穴に挿入し、挿入した波板固定ボルトに緩み防止ナット、フック、締め付けナット、を取り付け、波板受け材にフックを引掛け、波板の、締め付けナット、フックの、緩み防止ナット、を締め付けることを特徴とする波板固定具。
(57)【要約】      （修正有）【課題】地震、強風、通行人の接触によるモーターサイクルの転倒を防止できるモーターサイクルの補助的支持装置を提供する。【解決手段】支持装置は、本体２、ネジ部３、フレームもしくは排気管支持部１から構成され、ネジ部を回転させて適切な全長とし、モーターサイクルのサイドスタンドの反対側の車体側面底部に取りつける。振動や衝撃により発生するサイドスタンドの跳ね上がり、モーターサイクルの転倒を防止できる。【選択図】図１
0003219841.tif 000002
【実用新案登録請求の範囲】
【請求項１】
支柱の上部に半円形の支持部を有し下部にはネジ構造をもち全長が可変であるモーターサイクルの転倒を防止する補助的支持装置
【請求項２】
前期補助的支持装置の下端である接地箇所に可動部を有し全長が可変であるモーターサイクルの転倒を防止する補助的支持装置
【考案の詳細な説明】
【技術分野】
【０００１】本考案はモーターサイクルの転倒を防止することを目的とし補助的に使用する支持装置に関するものである。
【背景技術】
【０００２】多くのモーターサイクルが車体側面に取り付けられているサイドスタンドのみで支持され保管されている。地震における揺れや台風時の強風によるものだけでなく、集合住宅居住者が多い特に都市部においては保管されているモーターサイクルに歩行者が接触、それによりモーターサイクルが転倒してしまうことも珍しいことではない。
【考案の概要】
【考案が解決しようとする課題】
【０００３】振動、衝撃によりモーターサイクル本体が起き上がりサイドスタンドに加わる力が抜けた瞬間にサイドスタンド本体が跳ね上がってしまう現象が確認された。モーターサイクルの起き上がりを抑えることこそが前述の現象を解決するものである。
【議題を解決するための手段】
【０００４】本考案はモーターサイクルのサイドスタンドが取り付けられている側とは反対の車体側面底部に補助的な支持装置を配することでサイドスタンドの跳ね上がる原因となるモーターサイクルの起き上がりを防止することで問題点を解決している。
【考案の効果】
【０００５】本考案の補助的支持装置はモーターサイクルのサイドスタンドが跳ね上がることを防止するだけでなく本体が軽量であり操作が容易であるため従来から行われてきたロープを使用しモーターサイクルを固定する方法やモーターサイクルの車体下にジャッキを差し入れる方法と比較し設置が容易であるという点でも優れている。
【図面の簡単な説明】
【０００６】
【図１】  本補助的支持装置の正面図である。
【図２】  本補助的支持装置の正面図である。装置底部に可動式の接合部を有するゴム製の足が使用されている。
【図３】  本補助的支持装置を側面から見た図である。装置底部に可動式の接合部を有する樹脂製の足が使用されている。
【図４】  モーターサイクルに対して本考案を使用した一実施例である。
【考案を実施するための形態】
【０００７】サイドスタンドで自立しているモーターサイクルの側面に立ちハンドル、もしくはエンジンガード、フレームの一部を掴みモーターサイクルをサイドスタンド側にわずかに傾かせる。モーターサイクルを傾かせた状態でフレームと地面との間に本装置を挿し込む。モーターサイクルのフレームに本装置を設置するのに十分な空間が存在しない場合、強度を確かめた上で排気管を利用し本装置を設置することが出来る。
【実施例】
【０００８】以下、添付図面に従って一実施例を説明する。
１はモーターサイクルのフレーム、もしくは排気管に設置するために曲面を描いている。本体２を手で掴み３を回すことで全長を変化させることが出来る。
モーターサイクルのサイドスタンドが設置されていない側底部より本装置を軽く沿える。この際本装置の全長がモーターサイクルのフレーム、もしくは排気管底部から地面までの距離よりわずかに長くなるよう３を回転させ長さを調節する。本装置をモーターサイクル底部に挿し込んだ状態でモーターサイクル自体を軽く揺さぶり、動きが大きいようであれば再度３を回転させ本装置の全長を伸ばす。適切に長さの設定された本装置を使用し十分な強度を有した地面にモーターサイクルが設置されている場合、モーターサイクルはその位置に固定され揺さぶる程度では動くことがない。【０００９】本体２に４を組み合わせて使用することが出来る。４は可動式の連結部とゴム製の底部を有しており室内などモーターサイクル保管場所の地面が傷のつきやすい場合に適している。４も３と同様にネジ部を有しており、これを回転させることで本装置の全長を変化させることが可能である。【００１０】本体２に５を組み合わせて使用することが出来る。５は可動式の連結部と樹脂製の本体から構成されており接地面積が大きいことからモーターサイクルを３以上に安定して固定させることが出来る。
【符号の説明】
【００１１】１  フレーム、排気管支持部
２  装置本体
３  ボルト型支持部
４  ゴム型支持部
５  樹脂型支持部
【図１】
0003219841.tif 000003
【図２】
0003219841.tif 000004
【図３】
0003219841.tif 000005
【図４】
0003219841.tif 000006
【手続補正書】
【提出日】平成30年11月12日(2018.11.12)
【手続補正１】
【補正対象書類名】実用新案登録請求の範囲
【補正対象項目名】全文
【補正方法】変更
【補正の内容】
【実用新案登録請求の範囲】
【請求項１】
支柱の上部に半円形の支持部を有し下部にはネジ構造をもち全長が可変であるモーターサイクルの転倒を防止する補助的支持装置。
【請求項２】
前記補助的支持装置の下端である接地箇所に可動部を有し全長が可変である請求項１に記載のモーターサイクルの転倒を防止する補助的支持装置。
(57)【要約】      （修正有）【課題】次のトイレの利用者がまもなく使用可能の状態となることを前もって知ることができる公衆トイレドアの表示付ロック金具を提供する。【解決手段】公衆トイレドアの表示付ロック金具に設けられた、閉（１）と開（２）の状態の表示と、閉（１）と開（２）の中間に設けられ、まもなく使用を終えて退出することを意味する、出（３）の状態表示を備え、ロック金具の位置によって、公衆トイレドアに設けられた開口から、状態の表示の何れかが確認できるようにする。【選択図】図１
0003219846.tif 000002
【実用新案登録請求の範囲】
【請求項１】
トイレドアの表示付ロック金具の閉（１）と開（２）の状態の表示の中間に、まもなく使用を終えて退出する意味の出（例）（３）の状態表示を設ける。ロック金具（４）あるいは（５）の操作部（つまみ）上には、この表示に連動する出（３）、閉（１）、開（２）の位置が分かるようにしたもの。
【考案の詳細な説明】
【技術分野】
【０００１】この考案は閉（１）および開（２）の状態の表示（以下表示という）にくわえて、まもなく利用を終えて退出する意味の出（３）の表示もつ、主に公衆トイレドアの表示付ロック金具（以下表示付ロック金具という）に関するものである。
【背景技術】
【０００２】従来の表示付ロック金具はドアの閉（１）と開（２）の状態を表示するのみであった。
【考案の概要】
【考案が解決しようとする課題】
【０００３】このため次のような欠点があった。閉（１）と開（２）の状態の表示しかなかったため、外側にいる次のトイレの利用者からは内部の状態が分からず、不要に長くまち続けたり、断念して移動したそのすぐ後で使用可能の状態となるような問題があった。
【問題を解決するための手段】
【０００４】閉（１）と開（２）の状態の表示の中間（中央の必要はない）に、まもなく使用を終えて退出する意味の出（３）（例）の状態表示を設ける。
【考案の効果】
【０００５】内部にいるトイレ使用者は利用を終えて退出する１〜２分程度（任意）前に、ロック金具（４）か（５）の位置を閉（１）の位置から出（３）の位置に動かして、内部の状態を外側に知らせることによって、次の利用者はそのトイレが１〜２分程度後に使用可能の状態となることを前もって知ることができるようになり、いままでのような問題が解決される。
【図面の簡単な説明】
【０００６】
【図１】考案全体の関連図
【考案を実施するための形態】
【０００７】表示付ロック金具の閉（１）と開（２）状態の表示の中間に、まもなく使用を終えて退出する意味の出（３）の状態表示を設ける。ロック金具（４）もしくは（５）の操作部（つまみ）上には、この表示に連動する出（３）、閉（１）、開（２）の位置が分かるようにしたもの。なお閉（１）と出（３）のときはドアはロック状態、開（２）のときは解除の状態である。表示の例にはこのほか次のようないろいろなものが考えられる。      閉  −  使用中  −  赤色      開  −    空    −  青色      出  −  すぐ    −  黄色
【図１】
0003219846.tif 000003
【手続補正書】
【提出日】平成30年11月12日(2018.11.12)
【手続補正１】
【補正対象書類名】実用新案登録請求の範囲
【補正対象項目名】全文
【補正方法】変更
【補正の内容】
【実用新案登録請求の範囲】
【請求項１】
公衆トイレドアの表示付ロック金具に設けられた、閉（１）と開（２）の状態の表示と、閉（１）と開（２）の中間に設けられ、まもなく使用を終えて退出することを意味する、出（３）の状態表示を備え、前記ロック金具の位置によって、前記公衆トイレドアに設けられた開口から、前記状態の表示の何れかが確認できるようにしたことを特徴とする公衆トイレドアの表示付ロック金具。
(57)【要約】【課題】強い風圧に耐え容易には転倒し難く、しかも、組み立ての必要がなく、美観の優れた植木鉢を提供する。【解決手段】植木鉢（１）は、上方に開放された開口部（１１）を有すると共に、筒形状に形成された本体（１０）と、本体（１０）の下端に配置され、上面視で、側縁（２１）の少なくとも一部が本体（１０）の開口部（１１）より外側に配置された底面（２０）とを備えている。本体（１０）と底面（２０）とは、一つの成型品で構成されている。【選択図】図１
0003219872.tif 000002
【実用新案登録請求の範囲】
【請求項１】
上方に開放された開口部を有すると共に、筒形状に形成された本体と、
前記本体の下端に配置され、上面視で、側縁の少なくとも一部が前記本体の前記開口部より外側に配置された底面と、を備え、
前記本体と前記底面とは、一つの成型品で構成されている植木鉢。
【考案の詳細な説明】
【技術分野】
【０００１】  本考案は、植木鉢に関する。
【背景技術】
【０００２】  植木鉢は、陶器製、合成樹脂製等にかかわらず、従来、逆円錐型が一般的であった。未使用の鉢を重ねて嵩を小さくできるなどの利点はあるが、不安定で転倒等の恐れがある。そのため、これまで鉢本体の外周に円錐台型の容器等を付加するなどして転倒を防止する植木鉢などが提案されてきた（例えば、特許文献１を参照）。
しかし、上記に開示された植木鉢では不安定性は、解決できるが、鉢の組み立てに時間を要したり、美観を損なったりするなどの問題があった。
【先行技術文献】
【特許文献】
【０００３】
【特許文献１】特開平９−２７１２６６号公報
【特許文献２】特開２０１４−２２６１３０号公報
【考案の概要】
【考案が解決しようとする課題】
【０００４】  この種の分野に用いられる一般的な植木鉢は、外観が逆円錐台形状となっている。このような植木鉢は近頃屋上やベランダで使用されることが多くみられるが、このような逆円錐台形の形状の植木鉢は少しの風でも転倒する恐れがある。特に近頃は住宅の高層化に伴い屋上やマンションのベランダで植木を育成することが多く、この植木が倒れることは高層建築から地上へ落下するような不祥事を招く恐れすら考えられる。また、背丈の高い植木を育成する場合には、更に転倒し易くなる。
この考案は強い風圧に耐え容易には転倒し難く、しかも、組み立ての必要がなく、美観の優れた植木鉢を提供するものである。
【課題を解決するための手段】
【０００５】  本考案に係る植木鉢は、上方に開放された開口部を有すると共に、筒形状に形成された本体と、前記本体の下端に配置され、上面視で、側縁の少なくとも一部が前記本体の前記開口部より外側に配置された底面とを備える。前記本体と前記底面とは、一つの成型品で構成されている。
【考案の効果】
【０００６】  本考案の植木鉢は植木を育成することは勿論、植木鉢を組み立てることのない一つの成型品で構成したので、組み立てに要する時間を必要としない植木鉢を提供できる。
【図面の簡単な説明】
【０００７】
【図１】本考案の植木鉢の実施例１を示す断面図である。
【図２】本考案の植木鉢の実施例２を示す断面図である。
【図３】本考案の植木鉢の実施例３を示す断面図である。
【考案を実施するための形態】
【０００８】  本実施形態に係る植木鉢（１）は、上方に開放された開口部（１１）を有すると共に、筒形状に形成された本体（１０）と、本体（１０）の下端に配置され、上面視で、側縁（２１）の少なくとも一部が本体（１０）の開口部（１１）より外側に配置された底面（２０）とを備えている。本体（１０）と底面（２０）とは、一つの成型品で構成されている。
【０００９】  植木鉢（１）の底面（２０）が大きく広がった形状をしているため、強い風圧でも容易に倒れ難い。また、植木鉢（１）は組み立てることのない一つの成型品で構成されている。そのため、組み立てに要する時間を必要とせず、更には美しい外観を持ち合わせている。
【符号の説明】
【００１０】１  植木鉢
１０  本体
１１  開口部
２０  底面
２１  側縁
２２  水抜き孔
【図１】
0003219872.tif 000003
【図２】
0003219872.tif 000004
【図３】
0003219872.tif 000005
(57)【要約】      （修正有）【課題】静電気の感電を防止する静電気防止用具を提供する。【解決手段】全体、または、部分が十分な強度の絶縁体で覆われていて、ドアノブ・ハンドル・把手・レバーのいずれかを形成する。【選択図】図１
0003219828.tif 000002
【実用新案登録請求の範囲】
【考案の詳細な説明】
【技術分野】本考案は、静電気防止に関するものである。
【背景技術】従来のドアノブ・ハンドル・把手・レバー類では、静電気が発生し、感電することがあった。今回の発明は、それを防止するものである。
【考案の概要】
ドアノブ・ハンドル・把手・レバー類の全体、または、部分を十分な強度の絶縁体で覆い、静電気の感電を防止する。
【考案が解決しようとする課題】ドアノブ・ハンドル・把手・レバー類の全体、または、部分を十分な強度の絶縁体で覆い、静電気の感電を防止する。
【課題を解決するための手段】ドアノブ・ハンドル・把手・レバー類の全体、または、部分を十分な強度の絶縁体で覆い、静電気の感電を防止する。
【考案の効果】静電気の帯電を防ぎ、静電気の感電を防止する。
【発明の形態】
ドアノブ・ハンドル・把手・レバー類の全体、または、部分を十分な強度の絶縁体で覆い、静電気の感電を防止する。
【発明者の希望】
絶縁体は、人体に安全なものを使用してほしい。
0003219828.tif 000003
【手続補正書】
【提出日】平成30年8月12日(2018.8.12)
【手続補正１】
【補正対象書類名】実用新案登録請求の範囲
【補正対象項目名】全文
【補正方法】追加
【補正の内容】
【実用新案登録請求の範囲】
【請求項１】
ドアノブ・ハンドル・把手・レバー類の全体、または、部分を十分な強度の絶縁体で覆い、静電気の感電を防止する。
【手続補正２】
【補正対象書類名】図面
【補正対象項目名】全図
【補正方法】追加
【補正の内容】
【図１】
0003219828.tif 000004
【図２】
0003219828.tif 000005
【図３】
0003219828.tif 000006
【図４】
0003219828.tif 000007
【手続補正３】
【補正対象書類名】明細書
【補正対象項目名】全文
【補正方法】変更
【補正の内容】
【考案の詳細な説明】
【技術分野】本考案は、静電気防止に関するものである。
【背景技術】従来のドアノブ・ハンドル・把手・レバー類では、静電気が発生し、感電することがあった。今回の考案は、それを防止するものである。
【考案の概要】
ドアノブ・ハンドル・把手・レバー類の全体、または、部分を十分な強度の絶縁体で覆い、静電気の感電を防止する。
【考案が解決しようとする課題】
ドアノブ・ハンドル・把手・レバー類の全体、または、部分を十分な強度の絶縁体で覆い、静電気の感電を防止する。
【課題を解決するための手段】
ドアノブ・ハンドル・把手・レバー類の全体、または、部分を十分な強度の絶縁体で覆い、静電気の感電を防止する。
【考案の効果】
静電気の帯電を防ぎ、静電気の感電を防止する。
【考案の形態】
ドアノブ・ハンドル・把手・レバー類の全体、または、部分を十分な強度の絶縁体で覆い、静電気の感電を防止する。
【考案者の希望】
絶縁体は、人体に安全なものを使用してほしい。
【図面の簡単な説明】
【図１】ドアノブ  側面図・断面図・正面図
【図２】ハンドル  側面図・断面図・正面図
【図３】把手      正面図・断面図・側面図
【図４】レバー    正面図・断面図・側面図
【手続補正書】
【提出日】平成30年11月1日(2018.11.1)
【手続補正１】
【補正対象書類名】実用新案登録請求の範囲
【補正対象項目名】全文
【補正方法】変更
【補正の内容】
【実用新案登録請求の範囲】
【請求項１】
全体、または、部分が十分な強度の絶縁体で覆われていて、ドアノブ・ハンドル・把手・レバーのいずれかを形成したことを特徴とする、静電気防止用具。
(57)【要約】      （修正有）【課題】持ち運び可能な携帯用杖掛け具を提供する。【解決手段】略二等辺三角形の本体２と、本体２の中央に、折り畳んで重ね合わすことができる折り畳み線２を備え、二等辺の中央部に、折り畳み線２に対称に、重ね合わせできるように、杖を掛けるための、略半円状に切り掛いた、杖引っ掛け部１と、机に接着するための吸盤３を備えた。【選択図】図１
0003219997.tif 000002
【実用新案登録請求の範囲】
【請求項１】
略二等辺三角形の本体２と、本体の中央に、折り畳んで重ね合わすための折り畳み線６を備え、二等辺の中央部に、折り畳み線２に対称に、重ね合わせできるように、杖を掛けるための、略半円状に切り掛いた杖引っ掛け部１と、机に接着するための吸盤３を備えた携帯用杖掛け具。
【請求項２】
二等辺三角形の本体２の折り畳み状態を保持するため、折り畳み線６に対して対象の位置に、吸盤とは異なる側に、それぞれホックボタン（雄）４と、ホックボタン（雌）５を備えたことを特徴とする請求項１記載の携帯用杖掛け具。
【考案の詳細な説明】
【技術分野】
【０００１】    持ち歩きできる携帯用杖掛け具に関する。
【背景技術】
【０００２】    ポケットに収納して、持ち運び可能な携帯用杖掛けがない。
【考案の概要】
【考案が解決しようとする課題】
【０００３】    杖掛け具は持ち運びできないという課題がある。
【課題を解決するための手段】
【０００４】略二等辺三角形の本体２と、本体の中央に、折り畳んで重ね合わすための折り畳み線６を備え、二等辺の中央部に、折り畳み線２に対称に、重ね合わせできるように、杖を掛けるための、略半円状に切り掛いた杖引っ掛け部１と、机に接着するための吸盤３を備えた携帯用杖掛け具である。【０００５】二等辺三角形の本体２の折り畳み状態を保持するため、折り畳み線６に対して対象の位置に、吸盤とは異なる側に、それぞれホックボタン（雄）４と、ホックボタン（雌）５を備えたことを特徴とする携帯用杖掛け具である。
【考案の効果】
【０００６】老人が杖をもって出かけときに、持ち運びでき、机の隅に接着して、杖掛け具として利用できる。
【図面の簡単な説明】
【０００７】
【図１】本考案の携帯用杖掛け具の構成（折り畳んだ状態）
【図２】本考案の携帯用杖掛け具の構成（開いた状態）
【図３】本考案の携帯用杖掛け具の使用例
【考案を実施するための形態】
）
【０００７】図１と図２で本考案の携帯用杖掛け具の構成を示す。
図１は携帯用杖掛け具を２つに折り畳んでポケットに収納できるように半分の大きさにした状態である。
図２は図１の折り畳んだ状態から、開いて机の隅にはれるように平にした状態である。
【０００８】図２に示すように、本考案の携帯用杖掛け具は、略二等辺三角形の本体２と、本体の中央に、折り畳んで重ね合わすことができる折り畳み線６を備えている。
【０００９】二等辺の中央部に、折り畳み線２に対称に、重ね合わせできるように、半円状に切り欠いた、引っ掛け部１を備える。
【００１０】本体の折り畳み線６に対して、机に接着するため、異なる側に２つの吸盤３を備える。吸盤の位置は任意であるが、二等辺三角形の二等辺の中央部の内側よりに、折り畳み線２に略対称に吸盤を備えるのが好ましい。
【００１１】図示していないが、二等辺三角形の本体２の折り畳み状態を保持するため、折り畳み線に対して対象の位置に、吸盤とは異なる側に、ホックボタン（雄）４と、ホックボタン（雌）５を備えることで、折り畳んだとき係合させることで開かないようにするのが好ましい。
【００１２】図３は、携帯用付け掛け具７の使用例である。机９の隅に、図２のように携帯用付け掛け具７を開いて、机の上に吸盤３で貼り付けて固定する。
引っ掛け部１に傘８を吊るして保持できる。
【産業上の利用可能性】
【００１３】ポケットにいれて持ち運びでき、机の隅に接着して、杖掛け具として利用できる携帯用杖掛け具を提供する。
【符号の説明】
【００１４】１  杖掛け部
２  本体
３  吸盤
４  ホックボタン（雄）
５  ホックボタン（雌）
0003219997.tif 000003
【図１】
0003219997.tif 000004
【図２】
0003219997.tif 000005
【図３】
0003219997.tif 000006
(57)【要約】      （修正有）【課題】再利用可能な除湿・消臭材を提供する。【解決手段】粒片状とした珪藻土の粒片３を、平面が略円形状で扁平の不織布２の袋に収容する。【選択図】図１
0003219992.tif 000002
【実用新案登録請求の範囲】
【請求項１】
珪藻土を粉状又は粒片にして、不織布に収容したことを特徴とする除湿・消臭材
【請求項２】
珪藻土は、１００％であることを特徴とする請求項１に記載の除湿・消臭材
【請求項３】
粒片は、粒状、顆粒状、ペレット状、鱗片状、フレーク状、ブリケット状の何れかに形成されていることを特徴とする請求項１乃至請求項２に記載の除湿・消臭材
【請求項４】
不織布は、粒片の珪藻土の収容部を有する扁平な形状であることを特徴とする請求項１乃至請求項３に記載の除湿・消臭材
【請求項５】
除湿・消臭材は、真空で圧縮パッケージングされていることを特徴とする請求項１乃至請求項４に記載の除湿・消臭材
【考案の詳細な説明】
【技術分野】
【０００１】
本考案は、除湿・消臭材に関する。
【背景技術】
【０００２】
従来、除湿と消臭の料機能を備える除湿・消臭材として、活性炭が知られている。
【０００３】
活性炭とは、吸着能力を強めた炭素物質。木炭・ヤシ殻などを焼成・炭化し、細孔をもつ構造を発達させて多孔質としたものである。
【特許文献１】特開平０２−１８７１２７
【特許文献２】特開２００８−１４２２４５
【０００４】
しかし除湿と消臭の両方の効果を併せ持ち、自然物を材料とした除湿・消臭材は少なく、上記の活性炭では、水分や匂いの吸着力に限界があった。
【考案の概要】
【考案が解決しようとする課題】
【０００５】
そこで、活性炭の数倍の効果を有する、珪藻土を粉状又は粒片にして表面積全体から除湿し、同時に粒片内に匂いを閉じ込め、天日で乾燥させることで、除湿した水分や匂いを発散させることで何度も使用できる除湿・消臭材の開発に成功した。
【課題を解決するための手段】
【０００６】
請求項１記載の考案は、珪藻土を粉状又は粒片にして、不織布に収容したことを特徴とする。
【０００７】
請求項２記載の考案は、珪藻土は、１００％であることを特徴とする。
【０００８】
請求項３記載の考案は、粒片は、粒状、顆粒状、ペレット状、鱗片状、フレーク状ないしはブリケット状に形成されていることを特徴とする。
【０００９】
請求項４記載の考案は、不織布は、粒片の珪藻土の収容部を有する扁平な形状であることを特徴とする。
【００１０】
請求項５記載の考案は、除湿・消臭材は、真空で圧縮パッケージングされていることを特徴とする。
【考案の効果】
【００１１】
本考案は以上説明したような形態で実施され、次のような効果を有する。
【００１２】
請求項１記載の考案によれば、除湿と消臭の両方の効果を発揮する。
【００１３】
請求項２記載の考案によれば、他の成分を混合せずとも除湿と消臭の両方の効果を発揮する。
【００１４】
請求項３記載の考案によれば、粉状に比べて固体中の隙間に多くの水分量を含ませ同時に匂いを閉じ込めることが出来る。
【００１５】
請求項４記載の考案によれば、置く場所が限定されず、隙間に置いたり、多少丸めることが出来る為、靴の中にも置くことが出来る。
【００１６】
請求項５記載の考案によれば、開封後すぐに除湿・消臭効果を発揮し得る。
【図面の簡単な説明】
【００１７】
【図１】除湿・消臭材の断面図
【図２】除湿・消臭材の平面図
【図３】除湿・消臭材の粒片の形状を示す図
【図４】除湿・消臭材の真空パッケージングの図
【考案を実施するための形態】
【００１８】
珪藻土１００％を粉状にして、不織布に収容した除湿・消臭材を真空で圧縮パッケージングする。
【実施例１】
【００１９】
まず、珪藻土を粉状に形成し、図１及び図２のように、平面が略円形状で扁平の袋状の不織布に所定の量を封入する。
【００２０】
ここで使用する珪藻土は、二酸化ケイ素を主成分とする、珪藻プランクトンが堆積しておよそ１０００万年かけてできた化石による岩石であり、微細な多孔質状に結晶化したものであるため、吸湿性（吸水性）、脱臭性を備えるものである。
【００２１】
また、図３のように、粉状以外にも粒片３の形状として、粒状、顆粒状、ペレット状、鱗片状、フレーク状ないしはブリケット状を用いることもできる。
【００２２】
ここで、ブリケットとは、粉体に高い圧縮力を加えて成形する固体をいう。
【００２３】
粒片とすることで、粉状に比べて固体中の隙間に多くの水分量や匂い成分を含ませることが出来る為、より除湿・消臭の効果を高めることが出来る。
【００２４】
また、珪藻土を収容する不織布２の形状は、扁平であれば、ハート形状、スター形状等特に限定するものではないが、実施例のように、最もシンプルでどんな場所に置いても良い略円形状が望ましい。
【００２５】
そして、不織布の表面にオシャレなロゴを印刷することで、一見除湿・消臭材と感じさせない使用が可能である。  
【００２６】
更に、不織布２の平面が略円形状の袋体の大きさも、クローゼット用、げた箱用、冷蔵庫用等、用途に合わせて変えても良い。
【００２７】
なお、不織布２の色彩も、白、黒、赤、青、黄色等としても構わない。
【００２８】
そして、出来上がった除湿・消臭材１を、図４のように、真空で圧縮パッケージングする。
【００２９】
使用時は、パッケージ４を開封して、除湿や消臭が必要とされる、隙間に置いたり、多少丸めることが出来る為、靴の中にも置くことが出来る。
【００３０】
ここまで、実施例を通して除湿・消臭材１を示したが、本考案はその実施例に限定されるものではなく、本考案の要旨の範囲内で種々に改変できる。
【符号の説明】
【００３１】
１  除湿・消臭材
２  不織布
３  粒片
４  パッケージ
【図１】
0003219992.tif 000003
【図２】
0003219992.tif 000004
【図３】
0003219992.tif 000005
【図４】
0003219992.tif 000006
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
珪藻土を粉状又は粒片にして、不織布袋に収容したことを特徴とする除湿・消臭材。
【請求項２】
珪藻土は、１００％であることを特徴とする請求項１に記載の除湿・消臭材。
【請求項３】
粒片は、粒状、顆粒状、ペレット状、鱗片状、フレーク状、ブリケット状の何れかに形成されていることを特徴とする請求項１乃至請求項２の何れかに記載の除湿・消臭材。
【請求項４】
不織布袋は、粒片の珪藻土の収容部を有する扁平な形状であることを特徴とする請求項１乃至請求項３の何れかに記載の除湿・消臭材。
【請求項５】
除湿・消臭材は、真空で圧縮パッケージングされていることを特徴とする請求項１乃至請求項４の何れかに記載の除湿・消臭材。
(57)【要約】      （修正有）【課題】施術用のバッグを被施術者への接触の危険が少なく施術者の施術の妨げとなることが少ない大腿部に装着することを可能とする小型バッグを提供する。【解決手段】施術者の大腿部に横向きに巻くことが可能な脱着可能なベルト１、２に縦向きのベルト３を結合させ、その縦向きのベルト３に設けられた面ファスナーと結合することができる面ファスナーを小型バッグの側にもおくことによって、施術の妨げにならず、容易に脱着可能な身体密着型の携行医療バッグを実現する。【選択図】図１
0003219938.tif 000002
【実用新案登録請求の範囲】
【請求項１】
施術者の大腿部に横向きに巻くことが可能な脱着可能なベルトに結合された縦向きのベルトに設けられた面ファスナーと結合することができる面ファスナーを有する小型バッグ
【考案の詳細な説明】
【技術分野】
【０００１】
本考案は、院外における救急救命活動用の脱着可能な小型バッグに関するものである。
【背景技術】
【０００２】
救急救命や災害現場などへ向かう医師、看護師や救命士が、院外で緊急施術等をする際には、その施術に用いる注射器や薬剤などを携行する必要があるが、それらを収納するバッグについては、院外での緊急時での活動であることから、同行者がそれを携行してくれることを期待することはできず、施術等を担当する者が自ら携行することを余儀なくされることが予想されるが、通常の取り手のついたバッグでは手が自由にならず、肩にかけるタイプのバッグでは施術の際にバッグが被施術者に接触するなどの問題があり、それらの問題を解決できる施術者の身体に装着可能な小型の携行用救急救命用バッグが求められていた。
【０００３】
しかし、従前の腰周りに装着するタイプのバッグでは、被施術者の身体に接触したり施術者の緊急施術等の活動の妨げになる恐れを払拭することができず、脱着も必ずしも容易ではないという問題点があった。
【先行技術文献】
【特許文献】
【０００４】
【特許文献１】特開２０１５−００３０４５公報
【考案の概要】
【考案が解決しようとする課題】
【０００５】
解決しようとする問題点は、被施術者の身体に接触する危険を冒すことなく、容易に着脱可能な小型の救急救命用バッグを施術者の身体に装着することが容易ではない点である。
【課題を解決するための手段】
【０００６】
本考案は、施術者の大腿部という被施術者の身体に接触する危険が少ない身体の部位に脱着容易な小型バッグを装着することができるようにするため、大腿部に密着したベルトと、それに面ファスナーによって容易に脱着可能な小型バッグを結合することができることを最も主要な特徴とする。
【考案の効果】
【０００７】
本考案の着脱可能医療用小型バッグは、施術者の大腿部に小型バッグが装着されるため、被施術者の身体と接触するなどにより施術者の緊急施術等の活動を妨げることなく、施術者が単独で携行することが可能となり、必要に応じて小型バッグを施術者の身体から脱着することが可能であるという利点がある。
【図面の簡単な説明】
【０００８】
【図１】図１は装着用バンドとバッグを結合した状態を外側から示す図面代用写真である。
【図２】図２は装着用バンドとバッグが結合した状態を内側から示す図面代用写真である。
【図３】図３は大腿部に密着して装着することができるベルトの組を外側から示す図面代用写真である。
【図４】図４は大腿部に密着して装着することができるベルトの組を内側から示す図面代用写真である。
【図５】図５は、施術者の大腿部に密着させたベルトの組の面ファスナーに、バッグの面ファスナー（符号９）を脱着する様子を示した図面代用写真である。
【考案を実施するための形態】
【０００９】
大腿部に密着して装着することができるベルトの組として大腿部を横に巻くベルト２本とそれと結びついた縦１本のベルトによる組み合わせとし、その縦１本のベルトに面ファスナーをおいて、バッグにもおかれている面ファスナーとの間で脱着が可能な実施形態を実現した。
【実施例】
【００１０】
図１は、本考案装置の実施例の正面図であって、１及び２は、施術者の大腿部に横に巻いて密着させるベルトを、３はそれらと結合させた縦向きのベルトを、４は小型バッグ本体である。
なお、本実施例では、バッグがベルトよりも施術者の内側に位置する構造となっている。
【００１１】
図４は、本考案装置の構成要素であるベルトの組を示す背面図であって、５及び６は、施術者の大腿部に横に巻いて密着させるベルトを、７はそれらと結合させた縦向きのベルトである。８は縦向きのベルトにおかれた面ファスターである。    
なお、本実施例では、この面ファスナーは、縦向きベルトの内側におく構造となっっている。
【００１２】
図５は、本考案装置のうちベルトの組を施術者の大腿部に密着させたところに、小型バッグを脱着させる様子を示すものである。
【符号の説明】
【００１３】
１    横向きベルト（上側）
２    横向きベルト（下側）
３    縦向きベルト
４    小型バッグ本体
５    横向きベルト（上側）
６    横向きベルト（下側）
７    縦向きベルト
８    面ファスナー（縦ベルト側）
９    面ファスナー（小型バッグ側）
【図１】
0003219938.tif 000003
【図２】
0003219938.tif 000004
【図３】
0003219938.tif 000005
【図４】
0003219938.tif 000006
【図５】
0003219938.tif 000007
(57)【要約】      （修正有）【課題】縫製コストの低廉なノート型雑巾を提供する。【解決手段】ノート型雑巾は、マイクロファイバー製の非解れ性生地を重ね、中央部を縫合した。生地をマイクロファイバー製とすることで、非解れ性と清拭性能の両方を改善することができる。【選択図】図１
0003219907.tif 000002
【実用新案登録請求の範囲】
【請求項１】
複数の非解れ性マイクロファイバー生地を縫合したことを特徴とするノート型雑巾
【考案の詳細な説明】
【技術分野】
【０００１】
この考案は、清掃用のノート型雑巾に関するものである。
【背景技術】
【０００２】
従来、ノート型雑巾は、特許文献１等により公知であり、清掃時に適宜めくって使用することが行われている。
【特許文献１】実全平０２−１１９１５０
【考案の開示】
【考案が解決しようとする課題】
【０００３】
特許文献１に記載のノート型雑巾では、各生地の外周のほつれを防止する目的で、解れ止め加工しているため、生地の枚数が増えた際に単価に占める縫製コストの割合が高いものとなっていた。
【０００４】
この考案は、上記のような従来技術に存在する問題点に着目してなされたものである。その目的とするところは、縫製コストの低廉なノート型雑巾を提供することにある。
【課題を解決するための手段】
【０００５】
上記の目的を達成するために、本考案のノート型雑巾は、非解れ性生地を使用した。
【０００６】
また、清拭性能を高めるためにマイクロファイバー製の非解れ性生地を使用した。
【考案の効果】
【０００７】
本考案のノート型雑巾は、非解れ性マイクロファイバー生地を縫合した。このため、外周の解れ止め加工不要で、安価に製造することができる。
【０００８】
さらに生地をマイクロファイバー製とすることで、非解れ性と清拭性能の両方を改善することができる。
【考案を実施するための最良の形態】
【０００９】
以下にこの考案を具体化した一実施形態に基づいて詳細に説明する。
【実施例１】
【００１０】
図１および図２で示される本考案のノート型雑巾は、マイクロファイバー製の非解れ性生地３枚を重ね、これらの中央部を縫合した雑巾である。
【００１１】
使用時に各面が汚れた際には、適宜面を替えて作業を継続することができる。
【００１２】
すすぎ後に水を絞る際も、３枚が一体となっているため、短時間で作業することができる。
【００１３】
本実施例では生地３枚を使用したが、目的に応じ枚数は任意に増減することができる。
【産業上の利用可能性】
【００１４】
外周の解れ止め加工不要で、安価に製造することができる。
【図面の簡単な説明】
【００１５】
【図１】実施例１の斜視図
【図２】実施例１を縫合方向から見た状態を表す参考図
【符号の説明】
【００１６】
１      ノート型雑巾
２      縫合箇所
【図１】
0003219907.tif 000003
【図２】
0003219907.tif 000004
(57)【要約】      （修正有）【課題】自動車の内側を清掃する際に、広範囲を清掃することができる清掃ミトンを提供する。【解決手段】清掃用ミトン４は、手袋を構成する濃灰色生地製の本体表面３および白色生地製の本体裏面とさらに本体表面３の一部と重なるように本体表面３の外側に縫合した第１層２、さらに第１層２の一部と重なるように第１層２の外側に縫合した第２層１からなる。本体表面３と第１層２、第２層１の各層は、ミトン形状となるように縫合されている。使用時には挿入部５より、手を差し入れて作業する。【選択図】図１
0003219906.tif 000002
【実用新案登録請求の範囲】
【請求項１】
表面に複数の生地を縫合したことを特徴とする清掃用ミトン
【考案の詳細な説明】
【技術分野】
【０００１】
この考案は、主に自動車の内側を清掃するための清掃用具に関するものである。
【背景技術】
【０００２】
従来、車内を清拭する清掃用具は、特許文献１等により公知であり、清掃時に適宜手にはめて使用することが行われている。
【特許文献１】実用新案登録第３０５３５９４号
【考案の開示】
【考案が解決しようとする課題】
【０００３】
特許文献１に記載の清掃用具では、封筒型の手袋外形をしているため、わずか手の平大の表裏２面しか作業に利用できず、広範囲を清掃するには不充分であった。
【０００４】
この考案は、上記のような従来技術に存在する問題点に着目してなされたものである。その目的とするところは、手にはめて自動車の内側を清掃する際に、広範囲まで使用可能な清掃用具を提供することにある。
【課題を解決するための手段】
【０００５】
上記の目的を達成するために、本考案の清掃用ミトンは、本体表面に複数の生地を縫合した。
【０００６】
また、作業可能面積を高めるためにマイクロファイバー製の生地を使用した。
【考案の効果】
【０００７】
本考案の清掃用ミトンは、本体表面に複数の生地を縫合した。このため、自動車の内側を清掃する際に手の平大の表裏２面以上の広範囲を清掃することができる。
【０００８】
さらに生地をマイクロファイバー製とすることで、作業可能面積を一層改善できる。
【考案を実施するための最良の形態】
【０００９】
以下にこの考案を具体化した一実施形態に基づいて詳細に説明する。
【実施例１】
【００１０】
図１に示される本考案の清掃用ミトンは、手袋を構成する濃灰色生地製の本体表面および白色生地製の本体裏面とさらに本体表面の一部と重なるように本体表面の外側に縫合した第１層、さらに第１層の一部と重なるように第１層の外側に縫合した第２層からなる。
【００１１】
本体表面と第１層、第２層の各層は、図１において破線で示す縫合線位置においてミトン形状となるように縫合されている。
【００１２】
使用時には挿入部より、手を差し入れて作業する。最外層である第２層が汚れた際には、第２層の挿入部方向の開口部から指を差し入れ、第２層の表面が本体裏面に接する図２および図３の状態に反転さることにより、清浄な第１層の表面および第２層の裏面で作業を継続することができる。
【００１３】
さらに汚れた場合には、第１層も同様に反転させることにより、清浄な本体表面と第１層の裏面で作業を継続することができる。
【産業上の利用可能性】
【００１４】
自動車の内側を清掃する際に、手の平大の表裏２面以上の広範囲を清掃することができる。
【図面の簡単な説明】
【００１５】
【図１】実施例１の正面図
【図２】第２層の表面を反転さた際の正面状態を表す参考図
【図３】第２層の表面を反転さた際の背面状態を表す参考図
【符号の説明】
【００１６】
１      第２層表面
２      第１層表面
３      本体表面
４      清掃用ミトン
５      挿入部
【図１】
0003219906.tif 000003
【図２】
0003219906.tif 000004
【図３】
0003219906.tif 000005
(57)【要約】      （修正有）【課題】汚れ落し効果が持続し、プレー中に汚れ落とし性能が低下することがない汚れ落し兼用ゴルフボール入れを提供する。【解決手段】汚れ落し兼用ボール入れ２は、紐状マイクロファイーバー３製の表面とマイクロファイーバー織生地４製の裏面の２層で構成されており、口から中にボールを入れて使用する。表面と裏面とは、ひっくり返すことで交互に替えることができるリバーシブル仕様となっている。ボールを入れる口の部分にはゴムひも１が貫通されており、中に入れたボールが飛び出さないように口を引き絞ることができる。また、ゴムひも１を使用していることから、しばったゴムひも１を緩めることなく伸ばすだけでボールを取り出すことも可能である。【選択図】図１
0003219905.tif 000002
【実用新案登録請求の範囲】
【請求項１】
袋の表面および裏面が、それぞれ異なる２種類のマイクロファイバー製繊維からなることを特徴とするボール入れ
【考案の詳細な説明】
【技術分野】
【０００１】
この考案は、汚れたゴルフボールの汚れを落してきれいにする携帯用汚れ落し兼用ボール入れに関するものである。
【背景技術】
【０００２】
従来、汚れ落し兼用ボール入れは、特許文献１等により公知であって、ゴルフボールの泥やゴミ等の汚れを除去するものが提案されている。
【特許文献１】特開２００５−２３７３９４号
【考案の開示】
【考案が解決しようとする課題】
【０００３】
特許文献１に記載の汚れ落し兼用ボール入れでは、手軽に携帯して汚れたゴルフボールを拭くことができる反面、汚れたゴルフボールを何度も拭くことができず、満足できるものではなかった。
【０００４】
この考案は、上記のような従来技術に存在する問題点に着目してなされたものである。その目的とするところは、汚れ落し効果が持続し、プレーの妨げにならないボール入れを提供することにある。
【課題を解決するための手段】
【０００５】
上記の目的を達成するために、本考案の汚れ落し兼用ボール入れは、袋の表面および裏面に、それぞれ異なる２種類のマイクロファイバー製繊維を使用した。
【０００６】
また、ベルトにぶら下げることを可能とするための吊下げバンドを設けた。
【考案の効果】
【０００７】
本考案の汚れ落し兼用ボール入れは、袋の表面および裏面に、それぞれ異なる２種類のマイクロファイバー製繊維を使用した。このため、汚れ落し効果が持続しプレー中に汚れ落とし性能が低下することがない。
【０００８】
また、ベルトにぶら下げることを可能とするための吊下げバンドを設けた。このため、携行していてもプレーの妨げになることがない。
【考案を実施するための最良の形態】
【０００９】
以下にこの考案を具体化した一実施形態に基づいて詳細に説明する。
【実施例１】
【００１０】
図１および図２に示される本考案の汚れ落し兼用ボール入れは、紐状マイクロファイーバー製の表面とマイクロファイーバー織生地製の裏面の２層で構成されており、口から中にボールを入れて使用する。表面と裏面とは、ひっくり返すことで交互に替えることができるリバーシブル仕様となっている。
【００１１】
ボールを入れる口の部分にはゴムひもが貫通されており、中に入れたボールが飛び出さないように口を引き絞ることができる。また、ゴムひもを使用していることから、しばったゴム紐を緩めることなく伸ばすだけでボールを取り出すことも可能である。
【００１２】
さらにベルトにぶら下げることを可能とするための吊下げバンドが設けられている。このため、携行していてもプレーの妨げになることがない。
【産業上の利用可能性】
【００１３】
汚れ落し効果が持続し、プレー中に汚れ落とし性能が低下することがない。
【図面の簡単な説明】
【００１４】
【図１】実施例１の正面図
【図２】実施例１の反転後の上面図
【符号の説明】
【００１５】
１      ゴムひも
２      汚れ落し兼用ボール入れ
３      紐状マイクロファイーバー
４      マイクロファイーバー織生地
【図１】
0003219905.tif 000003
【図２】
0003219905.tif 000004